(57)【特許請求の範囲】
【請求項１】
長尺物（Ｍ）を吊下げるワイヤ（３０）を、前記長尺物（Ｍ）を水平にした状態で受け入れ可能な形状に保持する二以上のワイヤ保持具（１０）と、
前記各ワイヤ保持具（１０）を所定間隔に離間するベース部（２０）と、
を備え、
前記ワイヤ保持具（１０）が、上側が開口した半円状に形成され、その内径面に沿って、前記ワイヤ（３０）を保持する保持溝（１１）が形成され、
束ねた前記長尺物（Ｍ）の周囲全体を前記ワイヤ（３０）と均等に当接させて、この長尺物（Ｍ）の吊下げの際に、この長尺物（Ｍ）の一部にその自重が集中して、その集中した箇所に傷が付くのを防止した長尺物吊下げ用治具。
【請求項２】
前記ベース部（２０）の前記長尺物（Ｍ）の長さ方向端部に、前記長尺物（Ｍ）の端部が当接する当接部（２１）をさらに設けた請求項１に記載の長尺物吊下げ用治具。
【請求項３】
前記ワイヤ保持具（１０）を前記長尺物（Ｍ）の長さ方向に対し並列して配置した請求項１又は２に記載の長尺物吊下げ用治具。
【発明の詳細な説明】
【技術分野】
【０００１】
この発明は、木材等の長尺物をワイヤで束ねた上で、運搬船等に船積みする際に使用する長尺物吊下げ用治具に関する。
【背景技術】
【０００２】
木材等の長尺物の船積みは、港湾の荷置場に置かれた長尺物を、例えば特許文献１に示すグラブバケットの一対のグラブを閉じることによって掴み、クレーンに接続されたこのグラブバケットを運搬船側に移動し、グラブを開いて長尺物をはなす一連の工程を繰り返すことによって行われる。長尺物を荷置場から運搬船まで移動する際は、移動中にこの長尺物が落下しないように、十分な把持力でこの長尺物を掴む必要がある。しかしながら、長尺物をグラブで掴む際には、グラブによる把持力が長尺物の特定部分（グラブと長尺物の接触部分）に集中しやすく、この長尺物が木材等のように比較的柔らかい素材の場合、その表面に傷が付いて商品価値が低下する問題がある。
【０００３】
そこで、例えば、特許文献２に示すように、木材等の長尺物にワイヤを巻き付けて、このワイヤをクレーンで吊下げ、長尺物の船積みを行う場合がある。この吊下げにおいては、長尺物の自重がワイヤとの接触部全体に分散して作用するため、自重の集中に伴う長尺物の傷付きを防止することができる。この吊下げ作業は、荷置場に予め複数のワイヤを横並び状態で敷設し、敷設されたワイヤの上にフォークリフト等を用いて長尺物を積み、さらにワイヤを環状にして長尺物を束ねてこの環状のワイヤの上端をクレーンに連結する一連の工程を経て行われる。
【先行技術文献】
【特許文献】
【０００４】
【特許文献１】特開平６−１００２９０号公報
【特許文献２】特開平５−２９４５９６号公報
【発明の概要】
【発明が解決しようとする課題】
【０００５】
特許文献２に係る構成においては、長尺物をバランスよく吊下げるために、長尺物の全長を考慮して、ワイヤ間の距離を決めなければならない。しかしながら、ワイヤを敷設し、その上に長尺物を載置する場合、ワイヤと長尺物が接触して、このワイヤの敷設位置が予め敷設した位置からずれることが多い。長尺物に対してワイヤの敷設位置がずれると、この長尺物を安定的に吊下げることが難しくなり、船積み作業の際にバランスが崩れて、この長尺物が一端側から転落することもあり得る。長尺物を置いた後にワイヤの位置をずらすことも考えられるが、長尺物の表面とワイヤが擦れあって、その表面が傷付く問題がある。
【０００６】
そこで、この発明は、木材等の長尺物を安定的にワイヤで吊下げて、この長尺物の船積み作業を安全かつスムーズに行うことを課題とする。
【課題を解決するための手段】
【０００７】
上記の課題を解決するため、この発明は、長尺物を吊下げるワイヤを、前記長尺物を水平にした状態で受け入れ可能な形状に保持する二以上のワイヤ保持具と、前記各ワイヤ保持具を所定間隔に離間するベース部と、を備えた長尺物吊下げ用治具を構成した。
【０００８】
このように、ワイヤ保持具でワイヤを保持しつつ、このワイヤ保持具をベース部によって所定間隔だけ離間しておくことによって、木材等の長尺物をワイヤで束ねる際に、このワイヤの位置がずれるのを防止することができる。このため、安定した吊下げ状態を確保することができ、長尺物の船積み作業を安全かつスムーズに行うことができる。
【０００９】
前記構成においては、前記ワイヤ保持具が、上側が開口した半円状に形成され、その内径面に沿って、前記ワイヤを保持する保持溝が形成された構成とするのが好ましい。このように、ワイヤ保持具を形成することにより、上側の開口から、長尺物をワイヤ保持具の内側に、スムーズに載置することができる。また半円状とすることにより、その内径面に容易にワイヤを沿わせることができ、束ねた長尺物の周囲全体が、ワイヤと均等に当接する。このため、この長尺物の吊下げの際に、長尺物の一部にその自重が集中して、その集中した箇所に傷が付くのを防止することができる。
【００１０】
前記各構成においては、前記ベース部の前記長尺物の長さ方向端部に、前記長尺物の端部が当接する当接部をさらに設けた構成とするのが好ましい。このように、当接部を設けることにより、この長尺物吊下げ用治具に長尺物を載置した際に、複数の長尺物の端部を揃えることができる。この端部を揃えることにより、複数の長尺物をワイヤで吊下げたときのバランスを取りやすくなり、船積み作業を一層安全かつスムーズに行うことができる。
【００１１】
前記各構成においては、ワイヤ保持具を前記長尺物の長さ方向に対し並列して配置した構成とするのが好ましい。このように、複数のワイヤ保持具を並列して配置することにより、一度の吊下げ作業によって、より多くの長尺物を船積みすることができ、高い作業効率を確保することができる。
【発明の効果】
【００１２】
この発明においては、長尺物を吊下げるワイヤを、前記長尺物を水平にした状態で受け入れ可能な形状に保持する二以上のワイヤ保持具と、前記各ワイヤ保持具を所定間隔に離間するベース部と、を備えた長尺物吊下げ用治具を構成した。このように、ワイヤ保持具でワイヤを保持しつつ、このワイヤ保持具をベース部によって所定間隔だけ離間しておくことによって、木材等の長尺物をワイヤで束ねる際に、このワイヤの位置がずれるのを防止することができる。このため、安定した吊下げ状態を確保することができ、長尺物の船積み作業を安全かつスムーズに行うことができる。
【図面の簡単な説明】
【００１３】
【図１】本願発明に係る長尺物吊下げ用治具の一実施形態を示す斜視図
【図２】図１に示す長尺物吊下げ用治具を示し、（ａ）は縦断面図、（ｂ）は側面図、（ｃ）は平面図
【図３】図１に示す長尺物吊下げ用治具の他例を示し、（ａ）は斜視図、（ｂ）は伸縮機構の側面図
【図４】図１に示す長尺物吊下げ用治具に使用する付属部材を示し、（ａ）は中間部材の正面図、（ｂ）は中間部材の側面図、（ｃ）は中間部材の底面図、（ｄ）はワイヤの正面図
【図５】図１に示す長尺物吊下げ用治具を用いた一連の吊下げ工程を示す正面図であって、（ａ）は本治具にワイヤを設置した状態、（ｂ）は長尺物を載置した状態、（ｃ）は長尺物を吊下げた状態
【発明を実施するための形態】
【００１４】
この発明に係る長尺物吊下げ用治具１の一実施形態を図１及び図２に示す。この長尺物吊下げ用治具１は、ワイヤ保持具１０と、ベース部２０とを主要な構成要素としている。
【００１５】
ワイヤ保持具１０は、長尺物Ｍを吊下げるワイヤ３０（後述する図４（ｄ）及び図５参照）を、この長尺物Ｍを水平にした状態で受け入れ可能な形状に保持する部材であって、具体的には、断面Ｈ形の鋼材（Ｈ型鋼）を、半円状に湾曲させて、上側が開口した状態とすることによって構成している。半円状に湾曲させた断面Ｈ形の鋼材の長さ方向に沿う内径面側及び外径面側の両溝のうち、内径面側の溝が、ワイヤ３０を保持する保持溝１１として機能する。後述する図５に示すように、この保持溝１１の中にワイヤ３０が設けられる。
【００１６】
ワイヤ保持具１０の円弧部の一端部側には、ワイヤ３０の端部を係止しておくためのフック１２が設けられている。この実施形態においては、断面Ｈ形の鋼材を採用したが、断面コの字形の鋼材を採用することもできる。この場合も、内径面側の溝がワイヤ３０を保持する保持溝１１として機能する。
【００１７】
このワイヤ保持具１０は、載置される長尺物Ｍの長さ方向に所定間隔だけ離間して配置されており、前記長さ方向に並ぶ一組のワイヤ保持具１０、１０（１０ａ、１０ａ）でそれぞれ保持される二本のワイヤ３０、３０によって、長尺物Ｍがその長さ方向の二カ所で吊下げられる。
【００１８】
この一組のワイヤ保持具１０、１０（１０ａ、１０ａ）に対し、長尺物Ｍの長さ方向に対し並列して他の一組のワイヤ保持具１０、１０（１０ｂ、１０ｂ）が配置されている。この二組のワイヤ保持具１０、１０で吊下げ作業を行うことにより、一組のワイヤ保持具１０、１０を備えた構成と比較して、２倍以上の作業効率で長尺物Ｍを船積みすることができ、高い作業効率を確保することができる。
【００１９】
一組のワイヤ保持具１０は、互いに所定間隔で離間されるようにベース部２０に固定されている。このように、ワイヤ保持具１０でワイヤ３０を保持しつつ、このワイヤ保持具１０をベース部２０によって所定間隔だけ離間しておくことによって、木材等の長尺物Ｍをワイヤ３０で束ねる際に、このワイヤ３０の位置がずれるのを防止することができる。このため、安定した吊下げ状態を確保することができ、長尺物Ｍの船積み作業を安全かつスムーズに行うことができる。
【００２０】
ベース部２０の軸方向（載置される長尺物Ｍの長さ方向）の両端部には、当接部２１が設けられている。この当接部２１は、垂直に起立した本体部２１ａと、本体部２１ａの上端に、前記長さ方向外向きに傾斜して連接された傾斜板２１ｂと、本体部２１ａと傾斜板２１ｂとの間に介在する補強材２１ｃとを備えている。
【００２１】
長尺物吊下げ用治具１に長尺物Ｍを載置する際に、この長尺物Ｍの端部が傾斜板２１ｂに当接して、この端部が傾斜板２１ｂの傾斜に沿って軸方向に移動することによって本体部２１ａに案内される。これによって、複数の長尺物Ｍの端部の位置が揃えられた状態とすることができる。補強材２１ｃを設けたことにより、長尺物Ｍを載置する際に、傾斜板２１ｂに多少衝撃が加わってもその衝撃を本体部２１ａに逃がすことができ、傾斜板２１ｂの破損を防止することができる。
【００２２】
この実施形態で示す当接部２１の形状はあくまでも一例であって、複数の長尺物Ｍの端部の位置が揃えられた状態とすることができる限りにおいて、その構成を適宜変更することもできる。また、ワイヤ保持具１０への載置前に、長尺物Ｍの端部を揃えておく場合には、この当接部２１を設けない構成とすることもできる。
【００２３】
ベース部２０の軸方向の両端部には、この端部から軸方向中央部側に延びる仕切り板２２が設けられている。この仕切り板２２は、長尺物Ｍの長さ方向に対し並列して配置された二組のワイヤ保持具１０、１０（１０ａ、１０ｂ）の間に配置されている。この仕切り板２２を設けることにより、並列して配置されたワイヤ保持具１０、１０（１０ａ、１０ｂ）のうち、一方側のワイヤ保持具１０（１０ａ又は１０ｂ）に長尺物Ｍを載置する際に、この長尺物Ｍが傾いて、他方側のワイヤ保持具１０（１０ａ又は１０ｂ）に入り込むのを防止することができる。このため、ワイヤ保持具１０に長尺物Ｍをスムーズに載置することができる。
【００２４】
この実施形態で示す仕切り板２２の形状もあくまでも一例であって、その機能を発揮し得る限りにおいて、その形状は適宜変更することができる。また、この仕切り板２２を設けない構成とすることもできる。
【００２５】
図１及び図２に示す長尺物吊下げ用治具１においては、図３に示すように、一組のワイヤ保持具１０、１０の中間位置に、ベース部２０の軸方向長さを調節する伸縮機構２３を設けた構成とすることができる。この伸縮機構２３は、断面ロの字形のフレーム本体２３ａに、連結部材２３ｂの端部に形成された挿し込み部２３ｃが抜き挿し自在に挿入された構成となっている。フレーム本体２３ａへの挿し込み部２３ｃの挿し込み量を調節した上で、ボルト等の固定部材（図示せず）によって、フレーム本体２３ａに対して挿し込み部２３ｃを固定することによって、ワイヤ保持具１０の間の間隔を伸縮機構２３の可動範囲内で調節することができる。
【００２６】
このように、ワイヤ保持具１０の間の間隔を調節可能とすることにより、長尺物Ｍの長さに合わせて二本のワイヤ３０、３０による吊下げ間隔を変えることができ、長尺物Ｍの長さに対応した最適な吊下げ状態とすることができる。この伸縮機構２３は、ボルト及びナット等によって固定する手動式、又は、モータ等の駆動源を用いた自動式のいずれにすることもできる。
【００２７】
長尺物吊下げ用治具１の上側には、中間部材４０がクレーン（図示せず）によって吊下げられている。この中間部材４０は、外形が矩形の格子状の枠体であって、この枠体の上面側には、４カ所にクレーン用フック４１が、下面側には８カ所に治具吊下げ用フック４２ａ、４２ｂが設けられている。
【００２８】
４カ所のクレーン用フック４１には、クレーンに設けられたクレーンワイヤ４３が接続され、中間部材４０が水平状態で保持されている。８カ所の治具吊下げ用フック４２ａ、４２ｂのうち、４カ所のフック（符号４２ａを付した４カ所のフック、又は、符号４２ｂを付した４カ所のフック）に、長尺物Ｍを吊下げるワイヤ３０が接続される。吊下げる長尺物Ｍの長さが比較的短い場合には、軸方向内側（長さ方向中央側）の４カ所の治具吊下げ用フック４２ａが、吊下げる長尺物Ｍの長さが比較的長い場合には、軸方向外側の４カ所の治具吊下げ用フック４２ｂがそれぞれ使用される。このように、長尺物Ｍの長さに対応して、使用する治具吊下げ用フック４２ａ、４２ｂを変えることによって、長尺物Ｍをその長さに関係なく安定した状態で吊下げることができる。
【００２９】
長尺物Ｍの吊下げには、図４（ｄ）に示すワイヤ３０が採用されている。このワイヤ３０は、両端に環状部３１ａ、３１ｂが形成されるとともに、このワイヤ３０に沿って移動自在にワイヤフック３２が設けられている。このワイヤ３０は、複数の鋼線を撚り合わせることによって構成されており、複数の長尺物Ｍを一度に吊下げるのに十分な強度を備えている。
【００３０】
図５に、この長尺物吊下げ用治具１を用いた長尺物Ｍの吊下げ手順を示す。まず、ワイヤ保持具１０に形成された保持溝１１に、ワイヤ３０を沿わせるように設ける。このとき、ワイヤ３０の一端側に形成された環状部３１ａをフック１２に係止しておく（図５（ａ）参照）。なお、本図には図示されていないが、ワイヤ３０に設けられたワイヤフック３２を係止しておくフックホルダをワイヤ保持具１０又はベース部２０の所定箇所に形成しておき、このフックホルダにワイヤフック３２を係止しておくのが好ましい。このように、ワイヤフック３２を係止しておけば、長尺物Ｍを載置する際に、ワイヤフック３２が長尺物Ｍの下敷きになって、クレーンでの吊下げ作業に支障を来たすのを防止することができる。
【００３１】
ワイヤ３０を保持溝１１に設けたら、フォークリフト等の重機（図示せず）を用いて、ワイヤ保持具１０内に長尺物Ｍを載置する（図５（ｂ）参照）。このとき、長尺物Ｍの端部がベース部２０に設けられた当接部２１に当接することによって、複数の長尺物Ｍの端部の位置が、軸方向に揃えられた状態となる。
【００３２】
長尺物Ｍの載置が完了したら、フック１２からワイヤ３０の環状部３１ａを外し、外した環状部３１ａをワイヤフック３２に係止するとともに、ワイヤ３０の他端側の環状部３１ｂを中間部材４０に設けた治具吊下げ用フック４２ａ（又は４２ｂ）に係止する。この状態で、クレーンで中間部材４０を吊り上げると、長尺物Ｍの自重でワイヤ３０が引き締められ、このワイヤ３０で複数の長尺物Ｍが束ねられた状態で持ち上げられる（図５（ｃ）参照）。このとき、ベース部２０に固定された一組のワイヤ保持具１０、１０によってそれぞれワイヤ３０が保持されており、このワイヤ３０同士の所定間隔が確保される。このように、ワイヤ保持具１０でワイヤ３０を保持しつつ、このワイヤ保持具１０をベース部２０によって所定間隔だけ離間しておくことによって、木材等の長尺物Ｍをワイヤ３０で束ねる際に、このワイヤ３０の位置がずれるのを防止することができる。このため、安定した吊下げ状態を確保することができ、長尺物Ｍの船積み作業を安全かつスムーズに行うことができる。
【００３３】
上記の実施形態はあくまでも一例であって、木材等の長尺物Ｍを安定的にワイヤ３０で吊下げて、この長尺物Ｍの船積み作業を安全かつスムーズに行う、という本願発明の課題を解決し得る限りにおいて、この長尺物吊下げ用治具１を構成する部材（例えば、ワイヤ保持具１０、当接部２１、仕切り板２２等）の形状、配置、数等を適宜変更することができる。
【符号の説明】
【００３４】
１  長尺物吊下げ用治具
１０（１０ａ、１０ｂ）  ワイヤ保持具
１１  保持溝
１２  フック
２０  ベース部
２１  当接部
２１ａ  本体部
２１ｂ  傾斜板
２１ｃ  補強材
２２  仕切り板
２３  伸縮機構
２３ａ  フレーム本体
２３ｂ  連結部材
２３ｃ  挿し込み部
３０  ワイヤ
３１ａ、３１ｂ  環状部
３２  ワイヤフック
４０  中間部材
４１  クレーン用フック
４２ａ、４２ｂ  治具吊下げ用フック
４３  クレーンワイヤ
Ｍ  長尺物
【図１】
0006453180.tif 000002
【図２】
0006453180.tif 000003
【図３】
0006453180.tif 000004
【図４】
0006453180.tif 000005
【図５】
0006453180.tif 000006